(57)【要約】【課題】凝縮判定を簡単に行うことができ、且つ気化蒸発式装置を用いることなく室内をドライ方式で確実に除染し得、専門のオペレータも不要とし得る除染方法及び装置を提供する。【解決手段】室内１に、水を含む過酸化水素をミスト噴霧する噴霧ユニット２と、ミストを室内１に行き渡らせる複数の撹拌ファン３とを配設し、動力制御盤１１に表示される室内１の温度θと過酸化水素濃度Ｃとに基づき、帳票１６に印字された過酸化水素と水の二成分系の空気中における飽和蒸気圧を示す線図から結露が生じる相対湿度φＳを求め、相対湿度φＳ即ち飽和相対湿度、又は相対湿度φＳから所定値だけ減少させて表示した値を湿度設定値、つまり制御相対湿度φＳとして動力制御盤１１に表示される室内１の相対湿度φが制御相対湿度φＳ以上であると判定される場合には強制停止スイッチ１７を押し遮断弁６へ閉指令を出力して除染を停止し且つ除害装置１０へ起動指令を出力する。【選択図】図１
2015211773.tif 000002
【特許請求の範囲】
【請求項１】
水を含む除菌剤をミスト噴霧して室内の除染を行う除染方法において、
室内の温度θと、相対湿度φと、除菌剤濃度Ｃとを計測する計測工程と、
該計測工程で計測された温度θと、相対湿度φと、除菌剤濃度Ｃとを表示する表示工程と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化した線図にして出力した帳票を用意する帳票準備工程と、
該表示工程で表示される温度θと除菌剤濃度Ｃとに基づき、前記帳票準備工程にて準備された前記線図から結露が生じる相対湿度φＳに基づき制御相対湿度φＳを求め、前記表示工程で表示される相対湿度φが制御相対湿度φＳより低いと判定される場合には除染を行い、前記相対湿度φが制御相対湿度φＳ以上であると判定される場合には強制停止スイッチを作動させて除染を停止する結露判定工程と
を有することを特徴とする除染方法。
【請求項２】
水を含む除菌剤をミスト噴霧して室内の除染を行う除染方法において、
室内の温度θと、相対湿度φと、除菌剤濃度Ｃとを計測する計測工程と、
該計測工程で計測された温度θと、相対湿度φと、除菌剤濃度Ｃとを表示する表示工程と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化し、その後、相対湿度φの軸の値を所定値だけ減少させて表示した線図にして出力した帳票を用意する帳票準備工程と、
該表示工程で表示される温度θと除菌剤濃度Ｃとに基づき、前記帳票準備工程にて準備された前記線図から、結露が生じる相対湿度φＳに基づき制御相対湿度φＳを求め、前記表示工程で表示される相対湿度φが制御相対湿度φＳより低いと判定される場合には除染を行い、前記相対湿度φが制御相対湿度φＳ以上であると判定される場合には強制停止スイッチを作動させて除染を停止する結露判定工程と
を有することを特徴とする除染方法。
【請求項３】
請求項２に記載の除染方法において、
予め演算してグラフ化した、相対湿度φと除菌剤濃度Ｃとの関係を示す空気中の除菌剤と水の二成分系の除菌剤飽和蒸気圧線の相対湿度φの軸の値を減少させて表示する所定値は、２〜１０％の何れかの値を取ることを特徴とする除染方法。
【請求項４】
請求項１乃至請求項３の何れか一項に記載の除染方法において、前記結露判定工程で相対湿度φが制御相対湿度φＳより低いと判定され前記強制停止スイッチが非作動状態で除染が行われる場合に、前記除菌剤濃度Ｃが、常に室内濃度として保持するよう設定される所定の除菌剤濃度Ｃｓに基づく除菌剤濃度下限設定値ＣＬ０より低い時には前記ミスト噴霧を行い、前記除菌剤濃度Ｃが除菌剤濃度上限設定値ＣＨ１以上となる時には前記ミスト噴霧を停止するミスト噴霧発停工程を有することを特徴とする除染方法。
【請求項５】
請求項４に記載の除染方法において、
前記所定の除菌剤濃度Ｃｓは、１５０〜４００ｐｐｍであることを特徴とする除染方法。
【請求項６】
請求項１乃至請求項５の何れか一項に記載の除染方法において、前記温度θは、１５〜３０℃であることを特徴とする除染方法。
【請求項７】
請求項１乃至請求項６の何れか一項に記載の除染方法において、前記除菌剤は過酸化水素であることを特徴とする記載の除染方法。
【請求項８】
除染対象である室内の壁面に沿って循環する撹拌気流が生じるよう、吹出口を前記循環する撹拌気流と同じ方向に向けて設置される複数の撹拌ファンと、
前記循環する撹拌気流の内側に、該循環する撹拌気流と同じ方向へ水を含む除菌剤をミスト噴霧する噴霧ユニットとを備え、
前記循環する撹拌気流により前記噴霧ユニットから噴霧されるミストを室内に行き渡らせることで、湿度の低い気流を前記室内の壁面に沿わせることにより、前記室内の壁面への除菌剤の結露を制御することを特徴とする除染装置。
【請求項９】
前記室内の温度θを計測する温度計と、
前記室内の相対湿度φを計測する湿度計と、
前記室内の除菌剤濃度Ｃを計測する濃度計と、
前記噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化した線図にして出力した帳票と、
動力制御盤とを備え、
前記動力制御盤は、
前記温度計で計測された温度θと、前記湿度計で計測された相対湿度φと、前記濃度計で計測された除菌剤濃度Ｃとを表示する表示器と、
該表示器に表示される温度θと除菌剤濃度Ｃとに基づき、前記帳票に記載された前記線図から、結露が生じる相対湿度φＳに基づき制御相対湿度φＳを求め、前記動力制御盤に表示される相対湿度φが制御相対湿度φＳ以上であると判定される場合には除染を停止するよう前記遮断弁へ閉指令を出力し且つ前記除害装置へ起動指令を出力するための強制停止スイッチと
前記湿度計で計測された相対湿度φが制御相対湿度φＳより低いと判定され前記強制停止スイッチが非作動状態で除染が行われる場合に、前記除菌剤濃度Ｃが、常に室内濃度として保持するよう設定される所定の除菌剤濃度Ｃｓに基づく除菌剤濃度下限設定値ＣＬ０より低い時には前記遮断弁へ開指令を出力してミスト噴霧を行い、前記除菌剤濃度Ｃが除菌剤濃度上限設定値ＣＨ１以上となる時には前記遮断弁へ閉指令を出力してミスト噴霧を停止するように、前記濃度計で計測された除菌剤濃度Ｃに応じて前記遮断弁へ開閉指令を出力する自動制御系と
を備えたことを特徴とする除染装置。
【請求項１０】
前記室内の温度θを計測する温度計と、
前記室内の相対湿度φを計測する湿度計と、
前記室内の除菌剤濃度Ｃを計測する濃度計と、
前記噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化し、その後、相対湿度φの軸の値を所定値だけ減少させて表示した線図にして出力した帳票と、
動力制御盤とを備え、
前記動力制御盤は、
前記温度計で計測された温度θと、前記湿度計で計測された相対湿度φと、前記濃度計で計測された除菌剤濃度Ｃとを表示する表示器と、
該表示器に表示される温度θと除菌剤濃度Ｃとに基づき、前記帳票に記載された前記線図から、結露が生じる相対湿度φＳに基づき制御相対湿度φＳを求め、前記動力制御盤に表示される相対湿度φが制御相対湿度φＳ以上であると判定される場合には除染を停止するよう前記遮断弁へ閉指令を出力し且つ前記除害装置へ起動指令を出力するための強制停止スイッチと
前記湿度計で計測された相対湿度φが制御相対湿度φＳより低いと判定され前記強制停止スイッチが非作動状態で除染が行われる場合に、前記除菌剤濃度Ｃが、常に室内濃度として保持するよう設定される所定の除菌剤濃度Ｃｓに基づく除菌剤濃度下限設定値ＣＬ０より低い時には前記遮断弁へ開指令を出力してミスト噴霧を行い、前記除菌剤濃度Ｃが除菌剤濃度上限設定値ＣＨ１以上となる時には前記遮断弁へ閉指令を出力してミスト噴霧を停止するように、前記濃度計で計測された除菌剤濃度Ｃに応じて前記遮断弁へ開閉指令を出力する自動制御系と
を備えたことを特徴とする除染装置。
【請求項１１】
請求項１０に記載の除染装置において、
予め演算してグラフ化した、相対湿度φと除菌剤濃度Ｃとの関係を示す空気中の除菌剤と水の二成分系の除菌剤飽和蒸気圧線の相対湿度φの軸の値を減少させて表示する所定値は、２〜１０％の何れかの値を取ることを特徴とする除染装置。
【請求項１２】
請求項９乃至請求項１１の何れかに記載の除染装置において、
前記所定の除菌剤濃度Ｃｓは、１５０〜４００ｐｐｍであることを特徴とする除染装置。
【請求項１３】
請求項９乃至請求項１２の何れか一項に記載の除染装置において、前記温度θは、１５〜３０℃であることを特徴とする除染装置。
【請求項１４】
請求項９乃至１３の何れか一項に記載の除染装置において、
前記室内にミスト噴霧された除菌剤を無害化する除害装置を更に備え、
前記動力制御盤から前記除害装置へ起動指令を出力することを特徴とする除染装置。
【請求項１５】
請求項８乃至１４の何れか一項に記載の除染装置において、前記除菌剤は過酸化水素であることを特徴とする除染装置。
【発明の詳細な説明】
【技術分野】
【０００１】
本発明は、医薬品製造施設や動物実験施設のバイオクリーンルーム等の、細菌等の微生物、生物の免疫に働きかける物質や、生物の細胞等を扱う室内について、使用後に室内全般を殺菌するために用いられる除染方法及び装置に関するものである。
【背景技術】
【０００２】
従来、バイオクリーンルーム等の室内の殺菌としては、ホルムアルデヒド燻蒸による除染が主流であったが、ホルムアルデヒドは毒性が強く発ガン性等の人体への影響が懸念されると共に、特定化学物質障害予防規則の改正により規制が強化されたことから、その使用が敬遠されてきている。
【０００３】
このため、ホルムアルデヒド燻蒸の代替方法として、過酸化水素、オゾン、過酢酸、二酸化塩素等の除菌剤による除染方法が検討されている。ところが、ホルムアルデヒドは常温でも気化しやすく水溶液から熱をかけて気化させると凝縮しにくいのだが、代替の除菌剤の中にはホルムアルデヒドほど沸点が高くなく気化しやすくない物質もある。
【０００４】
除染方法の一例として、過酸化水素を用い、その飽和濃度を超える条件で除染を行う、いわゆるウェット方式の除染方法がある。過酸化水素は分解後に酸素と水になる毒性のない安全な物質であり、市販されている３０〜３５ｗｔ％水溶液を加熱気化して除染を行うが、容積の限られる対象室内に密封された空気の飽和濃度を超えるまで加熱気化し続けることで、その温度での気体としての過酸化水素最大濃度まで室内を充満させることができ、効率的な除染が可能だが、酸化還元反応の強い過酸化水素の結露により室内の内装や機器に腐食を生じさせてしまう可能性があった。
【０００５】
又、前記腐食を避けるため、飽和蒸気圧の計算式を基本とした演算により、過酸化水素蒸気の凝縮の有無を判定しながら過酸化水素蒸気の凝縮を避けた除染を行う、いわゆるドライ方式の除染方法がある。
【０００６】
尚、前記ドライ方式の除染方法に関連する一般的技術水準を示すものとしては、例えば、特許文献１がある。
【先行技術文献】
【特許文献】
【０００７】
【特許文献１】特許第４９７７２３３号公報
【発明の概要】
【発明が解決しようとする課題】
【０００８】
しかしながら、特許文献１に開示されているドライ方式の除染方法では、除染中に過酸化水素が飽和条件を超えていないことを、除染対象室内温湿度状態での過酸化水素蒸気圧及び水蒸気圧や、その室内温度での飽和過酸化水素蒸気圧や飽和水蒸気圧、液相モル分率及び活量係数をコンピュータによって全てリアルタイムで演算しなければならず、凝縮判定が非常に複雑化するという欠点を有していた。又、これ以外のドライ方式の除染方法では、過酸化水素蒸気の室内凝縮を凝縮センサにより監視するもの等があり、凝縮センサにおける過酸化水素蒸気の凝縮消失を見る技術もあるが、凝縮センサ位置で凝縮させるならば室内のどこかで凝縮している可能性が高く、ドライとならない。
【０００９】
又、従来の除染方法では、ウェット方式及びドライ方式のいずれにおいても、過酸化水素蒸気の発生に気化蒸発式装置が用いられているが、該気化蒸発式装置は、非常に高価で且つ取り扱いが難しく、専門のオペレータが必要となっていた。
【００１０】
本発明は、上記従来の問題点に鑑みてなしたもので、凝縮判定を簡単に行うことができ、且つ気化蒸発式装置を用いることなく室内をドライ方式で確実に除染し得、専門のオペレータも不要とし得る除染方法及び装置を提供しようとするものである。
【課題を解決するための手段】
【００１１】
本発明は、水を含む除菌剤をミスト噴霧して室内の除染を行う除染方法において、
室内の温度θと、相対湿度φと、除菌剤濃度Ｃとを計測する計測工程と、
該計測工程で計測された温度θと、相対湿度φと、除菌剤濃度Ｃとを表示する表示工程と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化した線図にして出力した帳票を用意する帳票準備工程と、
該表示工程で表示される温度θと除菌剤濃度Ｃとに基づき、前記帳票準備工程にて準備された前記線図から結露が生じる制御相対湿度φＳを求め、前記表示工程で表示される相対湿度φが制御相対湿度φＳより低いと判定される場合には除染を行い、前記相対湿度φが制御相対湿度φＳ以上であると判定される場合には強制停止スイッチを作動させて除染を停止する結露判定工程と
を有することを特徴とする除染方法にかかるものである。
【００１２】
本発明は、水を含む除菌剤をミスト噴霧して室内の除染を行う除染方法において、
室内の温度θと、相対湿度φと、除菌剤濃度Ｃとを計測する計測工程と、
該計測工程で計測された温度θと、相対湿度φと、除菌剤濃度Ｃとを表示する表示工程と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化し、その後、相対湿度φの軸の値を所定値だけ減少させて表示した線図にして出力した帳票を用意する帳票準備工程と、
該表示工程で表示される温度θと除菌剤濃度Ｃとに基づき、前記帳票準備工程にて準備された前記線図から、結露が生じる制御相対湿度φＳを求め、前記表示工程で表示される相対湿度φが制御相対湿度φＳより低いと判定される場合には除染を行い、前記相対湿度φが制御相対湿度φＳ以上であると判定される場合には強制停止スイッチを作動させて除染を停止する結露判定工程と
を有することを特徴とする除染方法にかかるものである。
【００１３】
前記除染方法において、
予め演算してグラフ化した、相対湿度φと除菌剤濃度Ｃとの関係を示す空気中の除菌剤と水の二成分系の除菌剤飽和蒸気圧線の相対湿度φの軸の値を減少させて表示する所定値は、２〜１０％の何れかの値を取ることが好ましい。
【００１４】
前記除染方法において、前記結露判定工程で相対湿度φが制御相対湿度φＳより低いと判定され前記強制停止スイッチが非作動状態で除染が行われる場合に、前記除菌剤濃度Ｃが、常に室内濃度として保持するよう設定される所定の除菌剤濃度Ｃｓに基づく除菌剤濃度下限設定値ＣＬ０より低い時には前記ミスト噴霧を行い、前記除菌剤濃度Ｃが除菌剤濃度上限設定値ＣＨ１以上となる時には前記ミスト噴霧を停止するミスト噴霧発停工程を有することが好ましい。
【００１５】
前記除染方法において、
前記所定の除菌剤濃度Ｃｓは、１５０〜４００ｐｐｍであることが好ましい。
【００１６】
前記除染方法において、前記温度θは、１５〜３０℃であることが好ましい。
【００１７】
前記除染方法において、前記除菌剤は過酸化水素であることが好ましい。
【００１８】
又、本発明は、除染対象である室内の壁面に沿って循環する撹拌気流が生じるよう、吹出口を前記循環する撹拌気流と同じ方向に向けて設置される複数の撹拌ファンと、
前記循環する撹拌気流の内側に、該循環する撹拌気流と同じ方向へ水を含む除菌剤をミスト噴霧する噴霧ユニットとを備え、
前記循環する撹拌気流により前記噴霧ユニットから噴霧されるミストを室内に行き渡らせることで、湿度の低い気流を前記室内の壁面に沿わせることにより、前記室内の壁面への除菌剤の結露を制御することを特徴とする除染装置にかかるものである。
【００１９】
本発明は、前記室内の温度θを計測する温度計と、
前記室内の相対湿度φを計測する湿度計と、
前記室内の除菌剤濃度Ｃを計測する濃度計と、
前記噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化した線図にして出力した帳票と、
動力制御盤とを備え、
前記動力制御盤は、
前記温度計で計測された温度θと、前記湿度計で計測された相対湿度φと、前記濃度計で計測された除菌剤濃度Ｃとを表示する表示器と、
該表示器に表示される温度θと除菌剤濃度Ｃとに基づき、前記帳票に記載された前記線図から、結露が生じる相対湿度φＳに基づく制御相対湿度φＳを求め、前記動力制御盤に表示される相対湿度φが制御相対湿度φＳ以上であると判定される場合には除染を停止するよう前記遮断弁へ閉指令を出力し且つ前記除害装置へ起動指令を出力するための強制停止スイッチと
前記湿度計で計測された相対湿度φが制御相対湿度φＳより低いと判定され前記強制停止スイッチが非作動状態で除染が行われる場合に、前記除菌剤濃度Ｃが、常に室内濃度として保持するよう設定される所定の除菌剤濃度Ｃｓに基づく除菌剤濃度下限設定値ＣＬ０より低い時には前記遮断弁へ開指令を出力してミスト噴霧を行い、前記除菌剤濃度Ｃが除菌剤濃度上限設定値ＣＨ１以上となる時には前記遮断弁へ閉指令を出力してミスト噴霧を停止するように、前記濃度計で計測された除菌剤濃度Ｃに応じて前記遮断弁へ開閉指令を出力する自動制御系と
を備えたことを特徴とする除染装置にかかるものである。
【００２０】
本発明は、前記室内の温度θを計測する温度計と、
前記室内の相対湿度φを計測する湿度計と、
前記室内の除菌剤濃度Ｃを計測する濃度計と、
前記噴霧ユニットへ噴霧用の圧縮空気を供給する空気配管途中に設けられた遮断弁と、
相対湿度φと除菌剤濃度Ｃとの関係を示す空気中の除菌剤と水の二成分系の除菌剤飽和蒸気圧線を、想定される室内の温度θの範囲で整数温度値毎に予め演算してグラフ化し、その後、相対湿度φの軸の値を所定値だけ減少させて表示した線図にして出力した帳票と、
動力制御盤とを備え、
前記動力制御盤は、
前記温度計で計測された温度θと、前記湿度計で計測された相対湿度φと、前記濃度計で計測された除菌剤濃度Ｃとを表示する表示器と、
該表示器に表示される温度θと除菌剤濃度Ｃとに基づき、前記帳票に記載された前記線図から、結露が生じる相対湿度φＳに基づき制御相対湿度φＳを求め、前記動力制御盤に表示される相対湿度φが制御相対湿度φＳ以上であると判定される場合には除染を停止するよう前記遮断弁へ閉指令を出力し且つ前記除害装置へ起動指令を出力するための強制停止スイッチと
前記湿度計で計測された相対湿度φが制御相対湿度φＳより低いと判定され前記強制停止スイッチが非作動状態で除染が行われる場合に、前記除菌剤濃度Ｃが除菌剤濃度下限設定値ＣＬ０より低い時には前記遮断弁へ開指令を出力してミスト噴霧を行い、前記除菌剤濃度Ｃが除菌剤濃度上限設定値ＣＨ１以上となる時には前記遮断弁へ閉指令を出力してミスト噴霧を停止するように、前記濃度計で計測された除菌剤濃度Ｃに応じて前記遮断弁へ開閉指令を出力する自動制御系と
を備えたことを特徴とする除染装置にかかるものである。
【００２１】
前記除染装置において、
予め演算してグラフ化した、相対湿度φと除菌剤濃度Ｃとの関係を示す空気中の除菌剤と水の二成分系の除菌剤飽和蒸気圧線の相対湿度φの軸の値を減少させて表示する所定値は、２〜１０％の何れかの値を取ることが好ましい。
【００２２】
前記除染装置において、
前記所定の除菌剤濃度Ｃｓは、１５０〜４００ｐｐｍであることを特徴とする除染装置。
【００２３】
前記除染装置において、前記温度θは、１５〜３０℃であることが好ましい。
【００２４】
前記除染装置において、
前記室内にミスト噴霧された除菌剤を無害化する除害装置を更に備え、
前記動力制御盤から前記除害装置へ起動指令を出力することが好ましい。
【００２５】
前記除染装置において、前記除菌剤は過酸化水素であることが好ましい。
【発明の効果】
【００２６】
本発明の除染方法及び装置によれば、凝縮判定を簡単に行うことができ、且つ気化蒸発式装置を用いることなく室内をドライ方式で確実に除染し得、専門のオペレータも不要とし得るという優れた効果を奏し得る。
【図面の簡単な説明】
【００２７】
【図１】本発明の除染方法及び装置の実施例を示す全体概要斜視図である。
【図２】本発明の除染方法及び装置の実施例を示す制御ブロック図である。
【図３】本発明の除染方法及び装置の実施例を示すフローチャートである。
【図４】除菌剤（過酸化水素）と水の二成分系の空気中における飽和蒸気圧を示す線図である。
【発明を実施するための形態】
【００２８】
以下、本発明の実施の形態を添付図面を参照して説明する。
【００２９】
図１〜図４は本発明の除染方法及び装置の実施例であって、医薬品製造施設や動物実験施設のバイオクリーンルーム等の、細菌等の微生物、生物の免疫に働きかける物質や、生物の細胞等を扱う室内１に、除染対象である室内１の壁面に沿って循環する撹拌気流が生じるよう、吹出口３ａを循環する撹拌気流と同じ方向に向けて設置される複数のタワー型の撹拌ファン３と、前記循環する撹拌気流の内側に、前記循環する撹拌気流と同じ方向へ水を含む除菌剤をミスト噴霧する噴霧ユニット２とを配設してある。前記タワー型の撹拌ファン３は、循環する撹拌気流が急激に向きを変える前記室内１の隅部（図１の例では四隅部）に配設することが、前記室内１の壁面に撹拌気流を貼り付けるように流通させる上で、撹拌ファン３の吹出口３ａの配設による撹拌気流の方向付けの面から有利となる。前記循環する撹拌気流により前記噴霧ユニット２から噴霧されるミストを室内１に行き渡らせることで、湿度の低い気流を前記室内１の壁面に沿わせることにより、前記室内１の壁面への除菌剤の結露を制御するものである。これにより、前記噴霧ユニット２から噴霧されるミストを室内１に均等に行き渡らせながら、室内１の壁面に凝結しかねない飽和蒸気圧に近い空気を近づけないようになっている。尚、本実施例の場合、除菌剤は過酸化水素を用いるようにしてある。
【００３０】
前記噴霧ユニット２には、コンプレッサ４が空気配管５を介して接続され、該空気配管５途中には、電磁式の遮断弁６が設けられ、該遮断弁６の開閉動作により、コンプレッサ４から空気配管５を介して圧縮空気の供給・停止が行われ、水を含む除菌剤としての過酸化水素が噴霧ユニット２からミスト噴霧されてＯＮ−ＯＦＦ制御されるようになっている。
【００３１】
前記室内１には、温度θ［℃］を計測する温度計７と、相対湿度φ［％ＲＨ］(RH：Relative Humidity)を計測する湿度計８と、過酸化水素濃度Ｃ［ｐｐｍ］を計測する濃度計９とが配置されている。
【００３２】
又、前記室内１には、ミスト噴霧された過酸化水素を無害化する除害装置１０が配置されている。該除害装置１０としては、例えば、活性炭が内蔵され且つ室内１の空気を吸い込んで排出することにより過酸化水素を活性炭に吸着させる形式のものが利用できる。但し、このような形式のものに限らず、外部の空気から細菌等を物理的に除去するＨＥＰＡフィルタを通過させて室内１に導入しつつ、室内１の空気を外部へ排出する換気装置を前記除害装置１０として用いるようにしても良い。
【００３３】
前記温度計７と湿度計８と濃度計９は、各々計測信号を送ることができる計測信号配線を介して動力制御盤１１が接続されている。該動力制御盤１１は、図２に示す如く、実際の温度θを表示する表示部１２Ｄが設けられた温度指示調節部１２と、実際の相対湿度φを表示する表示部１３Ｄが設けられた湿度指示調節部１３と、実際の過酸化水素濃度Ｃを表示する表示部１４Ｄが設けられた濃度指示調節部１４とを備えている。
【００３４】
上記計測信号配線について述べると、例えば、アナログ方式として弱い直流電流に信号を載せる場合、前記温度指示調節部１２には、温度θを４〜２０ｍＡの電流に割り付けて温度計測値として温度計７から入力するようになっている。前記湿度指示調節部１３には、相対湿度φを４〜２０ｍＡの電流に割り付けて湿度計測値として湿度計８から入力するようになっている。前記濃度指示調節部１４には、過酸化水素濃度Ｃを４〜２０ｍＡの濃度計測値として濃度計９から入力するようになっている。前記濃度指示調節部１４は、入力された過酸化水素濃度Ｃの４〜２０ｍＡの電流に割り付けて送られた濃度計測値と、予め設定されている過酸化水素濃度上限設定値ＣＨ１との偏差を演算して、該偏差が正の場合、開閉指令をＯＮ−ＯＦＦの接点信号としてセレクタ１９へ出力するようになっている。勿論、信号を載せる信号は、例えば、アナログでは１〜５Ｖの電圧信号でも、デジタルとしてのパルス信号であっても良い。又、前記温度指示調節部１２、前記湿度指示調節部１３については、温度計測値や湿度計測値の表示があれば良いので、例えば、温度計７や湿度計８の本体とプローブがケーブルを介して分離されているような型の場合、本体に表示部があるなら、それで代用しても良い。
【００３５】
ここで、図４は過酸化水素と水の二成分系の空気中における飽和蒸気圧を示す線図であり、その理論式は、図４中、実線で示す如く、温度θ毎に右下がりで下側へ凸形状となる緩やかな曲線となり、想定される室内１の温度θの範囲で整数温度値毎に予め演算してグラフ化した形で除染作業員１５が携行する帳票１６に印字されている。この理論式をその都度リアルタイムで求めることは、その演算が非常に複雑化するが、帳票１６に既に飽和蒸気圧線図として印字されているものを使用すれば、特に問題はない。
【００３６】
因みに、二成分系の飽和蒸気圧に関する理論式は、以下のように表される。
［数１］
ＰＷ＝γＷχＷＰＷｏ
［数２］
ＰＨ＝γＨχＨＰＨｏ
［数３］
γＷ＝ｅｘｐ{（１−χＷ）２／ＲＴ×［Ｂ０−Ｂ１（１−４χＷ）＋Ｂ２（１−２χＷ）（１−６χＷ）］}
［数４］
γＨ＝ｅｘｐ{χＷ２／ＲＴ×［Ｂ０＋Ｂ１（３−４χＷ）＋Ｂ２（１−２χＷ）（５−６χＷ）］}
［数５］
χＷ＋χＨ＝１
［数６］
ＰＷｏ＝ｅｘｐ（ＡＷ−ＢＷ／（ＣＷ＋θ））
［数７］
ＰＨｏ＝ｅｘｐ（ＡＨ−ＢＨ／（ＣＨ＋θ））
但し、ＰＷ：水と過酸化水素の二成分下における水の飽和蒸気圧［Ｔｏｒｒ］
ＰＨ：水と過酸化水素の二成分下における過酸化水素の飽和蒸気圧［Ｔｏｒｒ］
γＷ：活量係数
γＨ：活量係数
χＷ：過酸化水素中の水の液相モル分率
χＨ：過酸化水素中の過酸化水素の液相モル分率
ＰＷｏ：水成分のみが存在するときの水の飽和蒸気圧［Ｔｏｒｒ］
ＰＨｏ：過酸化水素成分のみが存在するときの過酸化水素の飽和蒸気圧［Ｔｏｒｒ］
Ｒ：気体定数
Ｔ：絶対温度［Ｋ］
Ｂ０，Ｂ１，Ｂ２：定数
ＡＷ，ＢＷ，ＣＷ：定数
ＡＨ，ＢＨ，ＣＨ：定数
【００３７】
又、理論式は、図４中、実線で示す如く、温度θ毎に右下がりで下側へ凸形状となる緩やかな曲線となるが、一旦、相対湿度φと過酸化水素濃度Ｃとの関係を示す空気中の過酸化水素と水の二成分系の過酸化水素の飽和蒸気圧線を、想定される室内１の温度θの範囲で整数温度値毎に予め演算してグラフ化し、その後、相対湿度φの軸の値を所定値だけ減少させて表示した線図にすると更に好ましい。こうすることにより、既に所定値によって安全側にシフトされた表現となり、表示と線図により求められる相対湿度φＳを単に比較すれば、確実に結露を防止できる。
【００３８】
そして、本実施例では、除染作業員１５が、前記温度計７で計測され表示部１２Ｄに表示された温度θと、前記濃度計９で計測され表示部１４Ｄに表示された過酸化水素濃度Ｃとに基づき、前記帳票１６に印字された飽和蒸気圧線図から、結露が生じる相対湿度φＳ即ち飽和相対湿度、又は相対湿度φＳから所定値を減じて小さくして表示した値を湿度設定値、つまり制御相対湿度φＳとして求めるようになっている。
【００３９】
前記湿度計８で計測され表示部１３Ｄに表示された相対湿度φが前記制御相対湿度φＳ以上である場合には、除染作業員１５が押しボタン式の強制停止スイッチ１７を押し、除染を停止するようになっている。除染作業員１５が強制停止スイッチ１７を押すと、前記動力制御盤１１のセレクタ１９を介して前記遮断弁６へ強制的に閉指令を出力し且つ前記動力制御盤１１の除害装置制御部１８から除害装置１０へ起動指令を出力し、更に結露警報器２０へ警報指令を出力するようになっている。尚、前記強制停止スイッチ１７は、押しボタン式のものに限らず、レバーを引き下げるものやその他の種々の形式のスイッチを選定しても良いことは言うまでもない。
【００４０】
前記湿度計８で計測され表示部１３Ｄに表示された相対湿度φが制御相対湿度φＳより低く、除染作業員１５が強制停止スイッチ１７を押さず該強制停止スイッチ１７が非作動状態のまま保持され、除染が行われる場合、前記過酸化水素濃度Ｃが過酸化水素濃度下限設定値ＣＬ０より低い時には、前記濃度指示調節部１４から前記遮断弁６へ前記セレクタ１９を介し開指令を出力してミスト噴霧を行い、前記過酸化水素濃度Ｃが過酸化水素濃度上限設定値ＣＨ１以上となる時には、前記濃度指示調節部１４から前記遮断弁６へ前記セレクタ１９を介し閉指令を出力してミスト噴霧を停止するようになっている。
【００４１】
本実施例の場合、前記過酸化水素濃度下限設定値ＣＬ０は、２１０ｐｐｍとし、前記過酸化水素濃度上限設定値ＣＨ１は、２３０ｐｐｍとしてある。これは、過酸化水素は、噴霧されて気化した後、空気中で分解して酸素と水に分解する（半減期は数十分と言われている）ので、常に気中濃度を所定の除菌剤濃度Ｃｓ、例えば２００ｐｐｍに保つために、このような上下限濃度にて噴霧管理するのである。気中濃度を、仮に例えば３００ｐｐｍに設定した際にも、下限値を＋１０ｐｐｍ程度、上限値を＋３０〜＋５０ｐｐｍ程度にかさ上げして管理することができる。尚、除菌剤としての過酸化水素濃度範囲は、１５０〜４００ｐｐｍとすることができる。
【００４２】
一方、図３は本発明の除染方法及び装置の実施例を示すフローチャートであり、先ず、ステップＳ１として前記遮断弁６は閉じた状態に保持されている。続くステップＳ２として、前記室内１の温度θと、相対湿度φと、過酸化水素濃度Ｃとを計測する計測工程が行われる。ステップＳ３として、前記計測工程で計測された温度θと、相対湿度φと、過酸化水素濃度Ｃとを表示する表示工程が行われる。ステップＳ４−１として、前記表示工程で表示された温度θと過酸化水素濃度Ｃとに基づき前記帳票１６に印字された飽和蒸気圧線図から結露が生じる相対湿度φＳを除染作業員１５が求め、ステップＳ４−２として、前記表示工程で表示された相対湿度φが制御相対湿度φＳ以上であると除染作業員１５によって判定された場合にはステップＳ５として除染を停止する結露判定工程が行われる。該結露判定工程で前記相対湿度φが制御相対湿度φＳより低いと判定された場合、続くステップＳ６として、除染開始からの時間ｔ［ｍｉｎ］が設定時間ｔｓｅｔ（例えば、２４０［ｍｉｎ］＝４［ｈｒ］）以上経過したと判定された時点で、ステップＳ７として除染完了とする。前記除染開始からの時間ｔ［ｍｉｎ］が設定時間ｔｓｅｔに満たない場合、ステップＳ８として、過酸化水素濃度Ｃが過酸化水素濃度下限設定値ＣＬ０より低いと判定された時には、ステップＳ９として、遮断弁６が開かれてミスト噴霧が行われる。続くステップＳ１０として、前記過酸化水素濃度Ｃが過酸化水素濃度上限設定値ＣＨ１以上であると判定された時には、ステップＳ１１として、前記遮断弁６が閉じミスト噴霧が停止され、前記ステップＳ２へ戻り、前述と同様の操作が繰り返される。尚、前記ステップＳ８において、過酸化水素濃度Ｃが過酸化水素濃度下限設定値ＣＬ０以上であると判定された時には、前記ステップＳ１０の判定に進み、該ステップＳ１０において、前記過酸化水素濃度Ｃが過酸化水素濃度上限設定値ＣＨ１より低いと判定された時には、前記遮断弁６を閉じることなくステップＳ２へ戻る。因みに、前記ステップＳ８〜ステップＳ１１の操作がミスト噴霧発停工程となる。
【００４３】
次に、上記実施例の作用を説明する。
【００４４】
図３のフローチャートに示す如く、先ず、ステップＳ１として遮断弁６は閉じた状態に保持されている。
【００４５】
続くステップＳ２として、前記室内１の温度θと相対湿度φと過酸化水素濃度Ｃとが、温度計７と湿度計８と濃度計９とによって計測される（計測工程）。ステップＳ３として、前記計測工程で計測された前記室内１の温度θと相対湿度φと過酸化水素濃度Ｃは、図１及び図２に示す動力制御盤１１の温度指示調節部１２の表示部１２Ｄと湿度指示調節部１３の表示部１３Ｄと濃度指示調節部１４の表示部１４Ｄにそれぞれ表示される（表示工程）。
【００４６】
ステップＳ４−１として、前記表示工程で表示された温度θと過酸化水素濃度Ｃとに基づき、前記帳票１６に印字された飽和蒸気圧線図から結露が生じる相対湿度φＳが除染作業員１５によって求められる。更に、ステップＳ４−２として、前記表示工程で表示された相対湿度φが制御相対湿度φＳ以上であるか否かの判定が除染作業員１５によって行われる（結露判定工程）。ここで、例えば、温度θ＝２０［℃］で、過酸化水素濃度Ｃ＝２００［ｐｐｍ］である場合、結露が生じる相対湿度φＳは、前記帳票１６に印字された図４に示す飽和蒸気圧線図より、およそ７９［％］となる。例えば、それに基づいて、そのまま７９［％］としてもよいが、例えば所定値を５［％］としてそれを減じる演算を行って、７４［％］として制御相対湿度φＳを求めるのが好ましい。つまり、この時点で、前記動力制御盤１１の表示部１３Ｄに表示された相対湿度φが制御相対湿度φＳより低ければ、結露は生じないことになる。
【００４７】
前記結露判定工程で前記相対湿度φが制御相対湿度φＳより低いと判定された場合、続くステップＳ６として、除染開始からの時間ｔ［ｍｉｎ］が設定時間ｔｓｅｔ（例えば、２４０［ｍｉｎ］＝４［ｈｒ］）以上経過したか否かの判定が行われる。
【００４８】
前記除染開始からの時間ｔ［ｍｉｎ］が設定時間ｔｓｅｔに満たない場合、ステップＳ８として、過酸化水素濃度Ｃが過酸化水素濃度下限設定値ＣＬ０より低いと判定された時には、ステップＳ９として、遮断弁６が開かれてミスト噴霧が行われる（ミスト噴霧発停工程）。該ミスト噴霧発停工程は、図２に示す濃度指示調節部１４から前記遮断弁６へ前記セレクタ１９を介して出力される開指令によって行われる。
【００４９】
続くステップＳ１０として、前記過酸化水素濃度Ｃが過酸化水素濃度上限設定値ＣＨ１以上であると判定された時には、ステップＳ１１として、前記遮断弁６が閉じミスト噴霧が停止される（ミスト噴霧発停工程）。該ミスト噴霧発停工程は、図２に示す濃度指示調節部１４から前記遮断弁６へ前記セレクタ１９を介して出力される閉指令によって行われる。
【００５０】
この後、前記ステップＳ２へ戻り、前述と同様の操作が繰り返される。
【００５１】
尚、前記ステップＳ８において、過酸化水素濃度Ｃが過酸化水素濃度下限設定値ＣＬ０以上であると判定された時には、前記ステップＳ１０の判定に進み、該ステップＳ１０において、前記過酸化水素濃度Ｃが過酸化水素濃度上限設定値ＣＨ１より低いと判定された時には、前記遮断弁６を閉じることなくステップＳ２へ戻る。
【００５２】
そして、前記噴霧ユニット２から水を含む過酸化水素のミストが噴霧されると、図１に示す撹拌ファン３の作用により、空気中で過酸化水素のミストが短時間に蒸発して室内１の隅々まで均一に行き渡り、ドライ方式での除染が可能となる。
【００５３】
図３に示す前記ステップＳ４−２の結露判定工程において、前記相対湿度φが制御相対湿度φＳ以上であると判定された場合にはステップＳ５として除染が停止される。この除染停止操作は、除染作業員１５が強制停止スイッチ１７を押すことによって行われ、該強制停止スイッチ１７が押されると、図２に示す動力制御盤１１のセレクタ１９を介して前記遮断弁６へ強制的に閉指令が出力されて該遮断弁６が閉じる。同時に、前記動力制御盤１１の除害装置制御部１８から除害装置１０へ起動指令が出力されて該除害装置１０に室内１の空気が吸い込まれ、活性炭にミスト噴射された過酸化水素が吸着されて無害化されつつ、前記除害装置１０から空気が排出され、更に結露警報器２０へ警報指令が出力され、警報が発せられる。この結果、過酸化水素の結露により室内１の内装や機器に腐食を生じさせてしまうことが確実に回避される。
【００５４】
ステップＳ６において、除染開始からの時間ｔ［ｍｉｎ］が設定時間ｔｓｅｔ（例えば、２４０［ｍｉｎ］＝４［ｈｒ］）以上経過したと判定されると、この時点で、ステップＳ７として除染完了となり、前記遮断弁６が閉じられる。
【００５５】
本実施例においては、［数１］〜［数７］に示されるような理論式をその都度リアルタイムで演算するのではなく、前記帳票１６に印字された、想定される室内１の温度θの範囲で整数温度値毎に予め演算してグラフ化された飽和蒸気圧線図を除染作業員１５が見て結露が生じるか否かを確実に判定できるため、動力制御盤１１の内部で複雑な演算を行わなくて済み、特許文献１に開示されているドライ方式の除染方法と比較して、凝縮判定がきわめて容易に行える。
【００５６】
本実施例においては、前記帳票１６に印字された、想定される室内１の温度θの範囲で整数温度値毎に予め演算してグラフ化し、その後、相対湿度φの軸の値を所定値だけ減少させて表示した線図にするので、既に所定値によって安全側にシフトされた表現となり、表示と線図により求められる制御相対湿度φＳを単に比較すれば、確実に結露を防止できる。
【００５７】
又、常に室内濃度として保持するよう設定される所定の除菌剤濃度Ｃｓについては、除染として現実的な過酸化水素の除染時維持濃度である１５０〜４００ｐｐｍで設定すれば、設定範囲として現実的であり、且つ正確に管理ができる。
【００５８】
又、医薬品製造施設や動物実験施設のバイオクリーンルーム等の、細菌等の微生物、生物の免疫に働きかける物質や、生物の細胞等を扱う室内１では、夜間空調停止等があったとしても、翌日の朝に上昇する可能性のある室温で、且つ微生物などの活性がある程度ある温度の１５〜３０℃を除染時の室温として扱えば充分実現性があり、又、室内環境としても除染後、作業者が利用するのに適している。
【００５９】
又、従来の除染方法とは異なり、過酸化水素蒸気の発生に不可欠であった非常に高価で且つ取り扱いが難しい気化蒸発式装置が不要となり、専門のオペレータがいなくても、飽和蒸気圧線図が印字された帳票１６を見ることのできる除染作業員１５さえいれば、除染を行うことが可能となる。
【００６０】
こうして、凝縮判定を簡単に行うことができ、且つ気化蒸発式装置を用いることなく室内１をドライ方式で確実に除染し得、専門のオペレータも不要とし得る。
【００６１】
尚、本発明の除染方法及び装置は、上述の実施例にのみ限定されるものではなく、本発明の要旨を逸脱しない範囲内において種々変更を加え得ることは勿論である。
【符号の説明】
【００６２】
１      室内
２      噴霧ユニット
３      撹拌ファン
３ａ    吹出口
５      空気配管
６      遮断弁
７      温度計
８      湿度計
９      濃度計
１０      除害装置
１１      動力制御盤
１２Ｄ    表示部
１３Ｄ    表示部
１４Ｄ    表示部
１５      除染作業員
１６      帳票
１７      強制停止スイッチ
Ｃ      過酸化水素濃度（除菌剤濃度）
ＣＨ１    過酸化水素濃度上限設定値（除菌剤濃度上限設定値）
ＣＬ０    過酸化水素濃度下限設定値（除菌剤濃度下限設定値）
ｔ      時間
ｔｓｅｔ   設定時間
θ      温度
φ      相対湿度
φＳ     相対湿度又は制御相対湿度
【図１】
2015211773.tif 000003
【図２】
2015211773.tif 000004
【図３】
2015211773.tif 000005
【図４】
2015211773.tif 000006